(57)【特許請求の範囲】
【請求項１】
ユーザ機器（ＵＥ）のための装置であって、当該装置が、
処理回路とメモリとを備え、前記処理回路が、
ディスカバリ信号（ＤＳ）オケージョンの周期性を示す値を含むメッセージを復号し、
前記ＤＳオケージョン内で伝送されるＤＳを復号するように構成され、前記ＤＳが、
ダウンリンクサブフレームにおけるセル固有参照信号（ＣＲＳ）、
第１同期信号（ＰＳＳ）、及び
１つだけの第２同期信号（ＳＳＳ）を含み、
前記処理回路が、前記ＤＳに基づいて拡張ＮｏｄｅＢ（ｅＮＢ）の識別子を判定するように更に構成され、
前記ＤＳオケージョンが、
フレーム構造タイプ１の場合には１〜５個の連続したサブフレーム、及び
フレーム構造タイプ２の場合には２〜５個の連続したサブフレーム
の持続時間を有する期間を備え、
前記ＤＳが、ダウンリンクサブフレームにおける、及び前記ＤＳオケージョンのダウンリンクパイロットタイムスロット（ＤｗＰＴＳ）を含むサブフレームにおけるアンテナポート０上の前記ＣＲＳを含み、
前記ＤＳが、前記期間における０個以上のサブフレームにおいて伝送される非ゼロ電力のチャネル状態情報参照信号（ＣＳＩ−ＲＳ）を更に含む、装置。
【請求項２】
前記周期性が、４０ミリ秒、８０ミリ秒、及び１６０ミリ秒のうちの１つである、請求項１に記載の装置。
【請求項３】
フレーム構造タイプ１の場合には、前記ＰＳＳが、前記ＤＳオケージョンの前記ＤＳを構成する単一のサブフレームにおいて受信され、フレーム構造タイプ２の場合には、前記ＰＳＳが、前記ＤＳオケージョンの前記ＤＳを構成する２つのサブフレームのうちの１つのサブフレームにおいて受信される、請求項１に記載の装置。
【請求項４】
前記ＤＳが、
前記期間における０個以上のサブフレームにおいて受信された非ゼロ電力のチャネル状態情報参照信号（ＣＳＩ−ＲＳ）を含む、請求項１に記載の装置。
【請求項５】
前記ＰＳＳ及びＳＳＳが一連のサブフレームのうちの同じサブフレーム内で受信され、前記ＰＳＳが、前記サブフレーム内で前記ＳＳＳの前に受信される、請求項１に記載の装置。
【請求項６】
ＰＳＳ、ＳＳＳ及び／若しくはＣＲＳのための時間領域並びに／又は周波数領域の位置が、セル識別子又は仮想セル識別子のいずれかに基づいている、請求項１に記載の装置。
【請求項７】
命令を含むコンピュータプログラムであって、前記命令が、ユーザ機器（ＵＥ）のハードウェア処理回路により実行された場合に、少なくとも、
ディスカバリ信号（ＤＳ）オケージョンに関する４０ミリ秒、８０ミリ秒、及び１６０ミリ秒のうちの１つの周期性を示す値を含むメッセージを復号し、
前記ＤＳオケージョン内で受信されるＤＳを復号し、前記ＤＳが、
セル固有参照信号（ＣＲＳ）、
第１同期信号（ＰＳＳ）、及び
１つだけの第２同期信号（ＳＳＳ）を含む、
ように前記ハードウェア処理回路を構成し、
前記ＤＳオケージョンが、
フレーム構造タイプ１の場合には１〜５個の連続したサブフレーム、及び
フレーム構造タイプ２の場合には２〜５個の連続したサブフレーム
の持続時間を有する期間を備え、
前記ＤＳが、ダウンリンクサブフレームにおける、及び前記ＤＳオケージョンのダウンリンクパイロットタイムスロット（ＤｗＰＴＳ）を含むサブフレームにおけるアンテナポート０上の前記ＣＲＳを含み、
前記ＤＳが、前記期間における０個以上のサブフレームにおいて伝送される非ゼロ電力のチャネル状態情報参照信号（ＣＳＩ−ＲＳ）を更に含む、コンピュータプログラム。
【請求項８】
前記命令が、前記ＤＳに基づいてスモールセルに接続するように前記ハードウェア処理回路を更に構成する、請求項７に記載のコンピュータプログラム。
【請求項９】
フレーム構造タイプ１の場合には、前記ＰＳＳが、前記ＤＳオケージョンの前記ＤＳを構成する単一のサブフレームにおいて受信され、フレーム構造タイプ２の場合には、前記ＰＳＳが、前記ＤＳオケージョンの前記ＤＳを構成する２つのサブフレームのうちの１つのサブフレームにおいて受信される、請求項７に記載のコンピュータプログラム。
【請求項１０】
前記ＰＳＳ及びＳＳＳが一連のサブフレームのうちの同じサブフレーム内で受信され、前記ＰＳＳが、前記サブフレーム内で前記ＳＳＳの前に受信される、請求項７に記載のコンピュータプログラム。
【請求項１１】
ＰＳＳ、ＳＳＳ及び／若しくはＣＲＳのための時間領域並びに／又は周波数領域の位置が、セル識別子又は仮想セル識別子のいずれかに基づいている、請求項７に記載のコンピュータプログラム。
【請求項１２】
進化型ＮｏｄｅＢ（ｅＮＢ）のための装置であって、当該装置が、
ディスカバリ信号（ＤＳ）オケージョンの周期性を示す値を含む信号を伝送し、
前記ＤＳオケージョン内で、
セル固有参照信号（ＣＲＳ）、
第１同期信号（ＰＳＳ）、及び
１つだけの第２同期信号（ＳＳＳ）を伝送する
ように構成されるトランシーバ回路を備え、
前記ＤＳオケージョンが、
フレーム構造タイプ１の場合には１〜５個の連続したサブフレーム、及び
フレーム構造タイプ２の場合には２〜５個の連続したサブフレーム
の持続時間を有する期間を備え、
ＤＳが、ダウンリンクサブフレームにおける、及び前記ＤＳオケージョンのダウンリンクパイロットタイムスロット（ＤｗＰＴＳ）を含むサブフレームにおけるアンテナポート０上の前記ＣＲＳを含み、
前記ＤＳが、前記期間における０個以上のサブフレームにおいて伝送される非ゼロ電力のチャネル状態情報参照信号（ＣＳＩ−ＲＳ）を更に含む、装置。
【請求項１３】
前記周期性が、４０ミリ秒、８０ミリ秒、及び１６０ミリ秒のうちの１つである、請求項１２に記載の装置。
【請求項１４】
フレーム構造タイプ１の場合には、前記ＰＳＳが、前記ＤＳオケージョンの前記ＤＳを構成する単一のサブフレームにおいて伝送され、フレーム構造タイプ２の場合には、前記ＰＳＳが、前記ＤＳオケージョンの前記ＤＳを構成する２つのサブフレームのうちの１つのサブフレームにおいて伝送される、請求項１２に記載の装置。
【請求項１５】
前記ＰＳＳ及びＳＳＳが一連のサブフレームのうちの同じサブフレーム内で受信され、前記ＰＳＳが、前記サブフレーム内で前記ＳＳＳの前に受信される、請求項１２に記載の装置。
【請求項１６】
請求項８から請求項１１のいずれか一項に記載のコンピュータプログラムを記憶したコンピュータ読み取り可能な記憶媒体。
【発明の詳細な説明】
【技術分野】
【０００１】
実施例は、無線通信に関連するとともに、より具体的には、拡張ノードＢ（ｅＮＢ）装置により、ユーザ装置（ＵＥ）がｅＮＢの識別子（identity）を確認するのを助けるために使用されるディスカバリ信号に関連する。いくつかの実施例は、３ＧＰＰ  ＬＴＥ標準のうちの１つ又は複数に従って動作するネットワークを含む、セルラネットワークに関係する。
【０００２】
本出願は、“Small  Cell  Discovery  Signal”と表題を付けられ２０１４年３月２０日に出願された米国仮特許出願第６１／９６８，２７８号及び“Small  Cell  Discovery  Signal”と表題を付けられ２０１４年３月１４日に出願された米国仮特許出願第６１／９５３，６３９号に対する優先権の利益を主張する２０１４年１２月２６日に出願された米国特許出願第１４／５８３，２８１号に対して優先権の利益を主張するものであり、上記米国出願の全ては、参照によりそれらの全体において本明細書に組み込まれる。
【背景技術】
【０００３】
無線通信ネットワークは、音声、ビデオ、パケットデータ、通信、放送などのような様々な通信サービスを提供するために、広く展開される。これらの無線ネットワークは、利用可能なネットワーク資源を共有することにより複数のユーザをサポートすることが可能である、多重アクセスネットワークであり得る。そのような多重アクセスネットワークの実例は、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク及び単一キャリアＦＤＭＡ（ＳＣ−ＦＤＭＡ）ネットワークを含む。
【０００４】
無線通信ネットワークは、複数のユーザ装置（ＵＥ）のための通信をサポートすることができる拡張ノードＢ（ｅＮＢ）のような複数の基地局を含み得る。ＵＥは、ダウンリンク及びアップリンクを介してｅＮＢと通信し得る。ダウンリンク（又はフォワードリンク）は、ｅＮＢからＵＥに対する通信リンクのことを指し、アップリンク（又はリバースリンク）は、ＵＥからｅＮＢに対する通信リンクのことを指す。
【０００５】
ｅＮＢとＵＥとの間の接続を確立するための手続きの一部として、ＵＥは、特定のｅＮＢの識別子を確認し得る。
【図面の簡単な説明】
【０００６】
【図１】いくつかの実施例による代表的な無線ネットワークの代表的な信号を例示する。
【図２】いくつかの実施例によるｅＮＢとの通信を確立するＵＥのための代表的な動作を例示する。
【図３】いくつかの実施例による代表的なフレーム構造を例示する。
【図４】いくつかの実施例による別の代表的なフレーム構造を例示する。
【図５】いくつかの実施例による代表的なディスカバリ信号（ＤＳ）オケージョンをその関連するサブフレーム及び周期性とともに例示する。
【図６】いくつかの実施例による代表的なＤＳの成分を選択するための概念的なフレームワークを例示する。
【図７】いくつかの実施例による代表的なＤＳの一例を例示する。
【図８】いくつかの実施例による代表的なＤＳの別の例を例示する。
【図９】いくつかの実施例による一例のＤＳを伝送する一例のｅＮＢ及び一例のＤＳを受信する一例のＵＥを例示する。
【図１０】いくつかの実施例による代表的なＤＳを作成して伝送するｅＮＢの一例のフローチャートを例示する。
【図１１】いくつかの実施例による代表的なＤＳを受信して復号するＵＥの一例のフローチャートを例示する。
【図１２】いくつかの実施例による一例のシステムのいくつかの実施例によるシステムブロック図を例示する。
【発明を実施するための形態】
【０００７】
下記の説明及び図面は、特定の実施例を、当業者がそれらを実施することを可能にするために十分に例示する。他の実施例は、構造上の変更、論理的な変更、電気的な変更、処理の変更及び他の変更を組み込み得る。いくつかの実施例の部分及び特徴は、他の実施例の部分及び特徴に含まれ得るか、又は他の実施例の部分及び特徴と置き換わり得る。請求項において明らかにされた実施例は、それらの請求項の全ての利用可能な等価物を網羅する。
【０００８】
実施例に対する様々な修正が当業者には容易に明白であろうとともに、本明細書で定義された一般的な原理は、本発明の範囲からはずれることなく、他の実施例及びアプリケーションに適用され得る。さらに、下記の記述において、多数の詳細が説明のために明らかにされる。しかしながら、当業者は、本発明の実施例がこれらの特定の詳細の使用なしで実践され得る、ということを認識することになる。他の場合において、周知の構造及び処理は、不必要な詳細によって本発明の実施例の記述を不明瞭にしないために、ブロック図の形式において示されない。このように、本開示は、説明された実施例に限定されることを意図していないが、しかし、本明細書で開示された原理及び特徴に沿って最も広い範囲を与えられるべきである。
【０００９】
無線ネットワークにおけるｅＮＢとＵＥとの間の通信を確立するために使用される手続きの一部は、ディスカバリ信号を伝送するｅＮＢ、及び特定のＵＥの識別子を確認するためにディスカバリ信号を使用するＵＥを含み得る。ＵＥが複数のｅＮＢによりカバーされるか、及び／又はサーブされる場合に、例えば、ＵＥがマクロセルｅＮＢとスモールセルｅＮＢの両方によりサーブされる場合に、スモールセルｅＮＢのディスカバリは、ディスカバリ信号の使用を通して拡張され得る。本明細書で開示された実施例は、実例のディスカバリ信号（ＤＳ）、及びそのようなＤＳを作成して伝送し、そして受信するための代表的なｅＮＢとＵＥの実装例を例示する。ＤＳは、現在使用中であるかもしれないあらゆる他のディスカバリ信号から特有である。
【００１０】
ディスカバリ信号（ＤＳ）は、１つ又は複数のサブフレームを含むＤＳオケージョンの間に送信される。それらのサブフレームは、ＴＤＤにおけるダウンリンク（ＤＬ）サブフレームとアップリンク（ＵＬ）サブフレームの両方であり得る。例えば、いくつかの実施例において、ＤＳオケージョンは、一連のＮ個の連続したサブフレームを含む。そのような一連のＮ個の連続したサブフレームは、例えば、ＴＤＤにおけるＤＬサブフレームとＵＬサブフレームの総和（総計はＮに等しい）を含むことができる。ＦＤＤの場合には、Ｎ個の連続したサブフレームは、Ｎ個のＤＬサブフレームに対応することができる。ＤＳオケージョンは、指定された周期によって定期的に発生する。ＤＳオケージョンの間、ｅＮＢは、ＤＳの組成、及びＤＳを構成する信号を伝送するために使用されることになるＤＳオケージョンの中のサブフレームを選択する。ＵＥは、ＤＳオケージョンの発生に注意し、ＤＳを構成する様々な信号を受信し、そしてＤＳからｅＮＢの識別子を復号することになる。選択されたサブフレームは、いくつかの実施例において、他の競合するｅＮＢとの干渉を最小限にするために選択されることができる。
【００１１】
本明細書で開示された様々なＤＳは、第１同期信号（ＰＳＳ）、第２同期信号（ＳＳＳ）、セル固有参照信号（ＣＲＳ）及び／又は（もしＣＳＩ−ＲＳがＤＳ基準の測定のために構成されるならば）チャネル状態情報参照信号（ＣＳＩ−ＲＳ）の組み合わせを使用する。一例の実施例において、ＤＳは、ＰＳＳ、ＳＳＳ及びＣＲＳを含む。別の例において、ＤＳは、ＰＳＳ、ＳＳＳ、ＣＲＳ及びＣＳＩ−ＲＳを含む。他の実施例において、他の組み合わせが使用されるであろう。
【００１２】
図１は、いくつかの実施例による代表的な無線ネットワークの代表的な信号を例示する。図は、ＵＥ１０２が単一の基地局（例えば、１０８若しくは１０４）又はキャリアアグリゲーションによりサーブされる単一の接続性、あるいは、ＵＥが第１キャリア若しくはｅＮＢ１０８及び第２キャリア若しくはｅＮＢ１０４のような複数のキャリア／ｅＮＢによりサーブされる二重の接続性のいずれかを例示することができる。第１ｅＮＢ１０８は、同様に、マスタｅＮＢ、マクロｅＮＢと呼ばれるか、又は他の名前で呼ばれることができ、そのほとんどは、第１ｅＮＢ１０８によりサーブされるセルカバレージ１１４が第２ｅＮＢ１０４によりサーブされるセルカバレージ１１６より大きい、ということを暗示する。第２ｅＮＢ１０４は、同様に、スモールセルｅＮＢ、ピコセルｅＮＢと呼ばれるか、又は他のそのような名前で呼ばれることができる。
【００１３】
図１の全てではないがいくつかの実施例において、第１ｅＮＢ１０８のカバレージエリア１１４は、第２ｅＮＢ１０４のカバレージエリア１１６より大きい。第１ｅＮＢ１０８と第２ｅＮＢ１０４の両方は、例えばサービングゲートウェイ１１２により表されるコアネットワーク要素によりサーブされる。
【００１４】
ＵＥ１０２がｅＮＢ１０８及び／又はｅＮＢ１０４に対する接続を確立するのを助けるために、ｅＮＢ１０４及び／又はｅＮＢ１０８は、１つ又は複数のタイプのＤＳをＵＥに伝送することができる。ＤＳの１つの目的は、伝送セル／ｅＮＢを識別することであり得る。実施例に応じて、ＤＳは、ｅＮＢ（例えば、ｅＮＢ１０８及びｅＮＢ１０４）の間の共通フォーマットの信号であり得るか、又は異なるフォーマットの信号であり得る。
【００１５】
図２は、ｅＮＢとの通信を確立するＵＥのための代表的な動作を例示する。概して２００として例示されるＵＥにより実行される動作は、セル探索及びセル選択２０２、システム情報の受信２０４及びランダムアクセス２０６を含む。
【００１６】
ＵＥがネットワークと通信することができる前に、初期情報を取得することだけでなく、セル探索及びセル選択２０２の首尾よい完了が完成する。現在のＬＴＥネットワークは、ＬＴＥセル（すなわち、セルエリアをサーブするｅＮＢ）が０から５０３に達する５０４個の固有の識別子のうちの１つであるセル識別子により識別される、階層型セル探索手順を使用する。それらの識別子は、各グループにおける３個の物理層識別子（０〜２）によって、１６８個の固有のセル層識別子グループ（０から１６７に達する）に分類される。しかしながら、異なる信号及び異なる規則が開示されたＤＳに適用されるので、下記で開示されたＤＳに関して、セル識別子は、異なって割り当てられることができる。
【００１７】
現存するディスカバリ信号（ＰＳＳ及びＳＳＳで構成される）の場合に、図２の動作２０８及び２１０において確認されるように、ＰＳＳは、スロットタイミングがＵＥにより検出されることを可能にし、ＰＳＳにおいて使用されるコードは、物理層識別子（０、１、２）を特定する。ＳＳＳは、その場合に、無線フレームタイミングの検出を可能にし、ＵＥが物理層セルＩＤ（０〜１６７）を発見することを可能にし、サイクリックプレフィックス長検出を可能にし、そしてＵＥがＦＤＤ又はＴＤＤ検出を実行することを可能にする（動作２１２及び２１４）。したがって、これらのディスカバリ信号に対して、下記の式によりセルＩＤが与えられる。
【００１８】
第１セルＩＤ＝セルグループＩＤ＊３＋セルＩＤ
【００１９】
ここで、セルグループＩＤは物理層セルＩＤ（０〜１６７）であり、セルＩＤは物理層識別子（０〜２）である。
【００２０】
一度第１及び第２の同期化が発生したならば、最後のステップは、あらゆる参照信号を検出し（動作２１６）、参照信号受信電力（ＲＳＲＰ）及び参照信号受信品質（ＲＳＲＱ）のようなダウンリンクチャネル推定を実行し（動作２１８）、物理ブロードキャストチャネル（ＰＢＣＨ）を検出し（動作２２０）、そしてシステム情報にアクセスする（動作２２２）。
【００２１】
動作２０４及び２０６において示されたように、ＵＥは、その場合に、システム情報を受信することができるとともに、セルを使用して情報を伝送し始めることができる。
【００２２】
図３は、いくつかの実施例による代表的なフレーム構造を例示する。フレーム構造は、例えばＬＴＥタイプ１のフレーム構造を表している。タイプ１のフレーム構造は、ＬＴＥ  ＦＤＤモードのシステムのために使用される。各フレーム３００は、１０ｍｓの長さであり、１ｍｓの長さの１０個のサブフレーム３０２を有する。各サブフレームは、それぞれが０．５ｍｓの長さの２個のスロット３０４を有する。各スロットは、それぞれがサイクリックプレフィックス３０８を備える７個のＯＤＦＭシンボル３０６を有する。
【００２３】
各スロットにおけるサブキャリアの総数は、帯域幅によって決まるとともに、図３においてＮ３１０により示されている。リソースブロック３１２は、１２個のサブキャリアを含む。
【００２４】
図４は、いくつかの実施例による別の代表的なフレーム構造を例示する。フレーム構造は、例えばＬＴＥタイプ２のフレーム構造を表している。タイプ２のフレーム構造は、ＬＴＥ  ＴＤＤモードのシステムのために使用される。タイプ２のフレーム構造におけるフレーム４００は、１０ｍｓの長さであるとともに、それぞれ５ｍｓの長さの２個のハーフフレーム４０２で構成される。各ハーフフレーム４０２は、それぞれ１ｍｓの長さの５個のサブフレーム４０４を有する。各サブフレームは、０．５ｍｓの長さの２個のスロット４０６を有する。
【００２５】
ＬＴＥの周波数分割複信（ＦＤＤ）システムが、各フレームにおいて、１０個の連続するダウンリンクサブフレーム及び１０個の連続するアップリンクサブフレームを有する一方、ＬＴＥの時分割複信（ＴＤＤ）システムは、複数のダウンリンク−アップリンク割り当てを有し、そのダウンリンク及びアップリンクのサブフレームの割り当てが表１において与えられ、ここで、文字Ｄ、Ｕ及びＳは、対応するサブフレームを表すとともに、それぞれ、ダウンリンクサブフレーム、アップリンクサブフレーム、及びサブフレームの最初の部分におけるダウンリンク伝送とサブフレームの最後の部分におけるアップリンク伝送とを含む特別なサブフレームのことを指す。
【００２６】
２つの特別なサブフレーム４０８は、ダウンリンクパイロットタイムスロット４１０（ＤｗＰＴＳ）、ガード期間４１２（ＧＰ）及びアップリンクパイロットタイムスロット４１４（ＵｐＰＴＳ）を含む。これらの３個のフィールドは、全ての３個の合計の長さは１ｍｓであるが、長さの点で個別に設定可能である。タイプ２のフレーム構造の場合に、サブフレームは、下記の表１に従って、アップリンク、ダウンリンク又は特別に割り当てられる。
【００２７】
【表１】
0006479839.tif 000002
【００２８】
本開示におけるＤＳは、ＵＥがセルを識別することを可能にするように、周期的に伝送される。図５は、いくつかの実施例による代表的なＤＳオケージョンをその関連するサブフレーム及び周期性とともに例示する。ＤＳオケージョン５００は、複数の連続したサブフレーム５０２を含む。異なる番号付けスキームが使用されることができるであろうが、図５において、この数は、０からＮ−１に達するサブフレーム５０２によって、Ｎにより表される。サブフレーム５０２は、上記の図３及び図４において論じられたサブフレームのようなサブフレームである。いくつかの実施例において、ＤＳオケージョン５００におけるサブフレーム５０２の総数は、サブフレーム構造のタイプ（すなわち、タイプ１又はタイプ２）によって決まる。いくつかの実施例において、タイプ１の場合に、ＤＳオケージョン５００は、１〜５個のサブフレーム５０２を有する。いくつかの実施例において、タイプ２の場合に、ＤＳオケージョン５００は、２〜５個のサブフレーム５０２を有する。これらの実施例において、サブフレーム５０２は連続している。いくつかの実施例において、連続の意味は、サブフレーム構造のタイプ（タイプ１又はタイプ２）に関係していることができる。これらの実施例において、Ｎ個の連続したサブフレームは、タイプ２のサブフレーム構造（ＴＤＤ構造）の場合に、例えば、ＤＬサブフレームとＵＬサブフレームの合計を含むことができる（総計はＮに等しい）。タイプ１のサブフレーム構造（ＦＤＤ構造）の場合に、Ｎ個の連続したサブフレームは、Ｎ個のＤＬサブフレームに対応することができる。他の実施例において、異なる数のサブフレーム５０２が使用される。サブフレーム５０２が可変である（例えば１〜５個、２〜５個）実施例において、サブフレーム５０２の数の設定は、無線リソース制御（ＲＲＣ）層又はいくつかの他の層のような、受信機の物理層より高い層に由来することができる。
【００２９】
ＤＳオケージョン５００は、周期５０４を有する。いくつかの実施例における周期５０４は、４０ｍｓ、８０ｍｓ又は１６０ｍｓである。いくつかの実施例において、この周期５０４は選択可能であり、他の実施例において、周期５０４は、様々なパラメータによって決まるか、又は、例えばＲＲＣ層のような、より高い層によって設定される。
【００３０】
いくつかの実施例において、ＤＳオケージョン５００の間、ＵＥは、ＤＳ信号を除いて他の信号が存在しないと仮定することができる。
【００３１】
図６は、いくつかの実施例による代表的なＤＳの成分を選択するための概念的なフレームワークを例示する。既存のディスカバリ信号とは異なり、この開示のＤＳは、ＰＳＳ６００とＳＳＳ６０２ばかりでなく、セル固有参照信号６０４（ＣＲＳ）及びチャネル状態情報参照信号６０６（ＣＳＩ−ＲＳ）のうちの少なくとも１つを含む。したがって、ＤＳは、ＰＳＳ６００とＣＳＩ−ＲＳ６０６、又はＰＳＳ６００とＳＳＳ６０２のような他の可能な組み合わせと同様に、しかし現在使用されている異なる構成において、ＰＳＳ６００とＳＳＳ６０２とＣＲＳ６０４、ＰＳＳ６００とＳＳＳ６０２とＣＳＩ−ＲＳ６０６、ＰＳＳ６００とＳＳＳ６０２とＣＲＳ６０４とＣＳＩ−ＲＳ６０６を含むことができる。したがって、別の実施例は、参照信号ＰＳＳ６００、ＳＳＳ６０２、ＣＲＳ６０４及び／又はＣＳＩ−ＲＳ６０６のうちの１つ又は複数を含むＤＳを使用する。他の信号が同様に使用されることができるであろう。
【００３２】
本開示の実施例は、どの信号（６００、６０２、６０４、６０６）がＤＳのために使用されるべきであるか、そしてＤＳオケージョンのうちのどのサブフレームがＤＳを構成する異なる信号を伝送するために使用されるか、を選択するためのＤＳ選択ロジック６０８を含む。さらに、信号（６００、６０２、６０４、６０６）がサブフレーム内の異なる時間及び／若しくは周波数スロットにおけるどこで伝送されることができるか、又は、信号（６００、６０２、６０４、６０６）がＰＳＳ及び／若しくはＳＳＳ信号用のコードのような異なる信号特性を用いてどこに構成されることができるか、ＤＳ選択ロジックは、いくつかの実施例において、さらにそれらの選択を行うことができる。図６において、ＤＳオケージョンは、一般的に６１０として例示され、例示された実施例では、５個のサブフレームを含み、そのいくつかが６１２、６１４及び６１６として識別される。ＤＳ選択ロジック６０８は、ＤＳオケージョンにおいてＤＳの一部として伝送されることになる特定の信号を選択し、適切なサブフレームに個別の信号をマッピングする。例えば、ＰＳＳ６００とＳＳＳ６０２がサブフレーム６１２にマッピングされ、ＣＲＳ６０４がサブフレーム６１４にマッピングされ、そしてＣＳＩ−ＲＳがサブフレーム６１６にマッピングされる。しかしながら、これは単なる代表的な例である。
【００３３】
様々な信号は、“バランスのとれた（balanced）”又は“アンバランスな（unbalanced）”スキームにおいて伝送されることができる。すなわち、いくつかの実施例はバランスのとれたスキーム（balanced  scheme）を使用し、いくつかの実施例はアンバランスなスキーム（unbalanced  scheme）を使用し、そしていくつかは両方共使用する。
【００３４】
アンバランスな伝送において、ＤＳの異なる成分は、異なるサブフレームにおいて伝送される。したがって、ＰＳＳ６００及びＳＳＳ６０２の信号がサブフレーム６１２において伝送され、一方ＣＲＳ６０４の信号がサブフレーム６１４において伝送され、そしてＣＳＩ−ＲＳ６０６の信号がサブフレーム６１６において伝送されるので、図６の代表的な実例はアンバランスな伝送である。
【００３５】
アンバランスなスキームの他の実例は、信号Ａと信号Ｂとの間で実行されることができ、ここで、信号Ａ及びＢは、異なるサブフレームにおいて伝送される。一例において、信号ＡはＰＳＳ及び／又はＳＳＳを含み、一方信号ＢはＣＲＳ及び／又はＣＳＩ−ＲＳを含む。別の例において、信号ＡはＰＳＳ、ＳＳＳ及び／又はＣＲＳを含み、一方信号Ｂは何も含まない。
【００３６】
バランスのとれたスキームにおいて、それらの信号は全て同じサブフレームにおいて伝送され、いくつかの実施例では、１つ又は複数の後続のサブフレームにおいて繰り返される。
【００３７】
ＤＳ選択ロジック６０８は、実施例毎に変化し得る複数の方法で構成され得る。一例の実施例において、例えばＲＲＣ処理を使用して、ｅＮＢ自身は、ＤＳ選択ロジックを構成する。他の実施例において、ｅＮＢは、ＤＳ選択ロジック構成を指示する際か、又はＤＳ選択ロジック構成の一部分を識別するのを助ける際のいずれかにおいて使用される、コアネットワークのような他の情報源からの情報を受信し得る。
【００３８】
一例として、ＰＳＳ及び／又はＳＳＳは、異なるセルからの干渉を回避するために、少なくとも１つのサブフレームにおいて伝送される。選択ロジックは、下記のような異なる規則を利用し得る。
【００３９】
１．ＰＳＳ及び／若しくはＳＳＳのための時間並びに／又は周波数領域の伝送される位置は、セルＩＤ又は仮想セルＩＤに従って予め決定されることができる。
【００４０】
２．ＰＳＳ及び／若しくはＳＳＳのための時間並びに／又は周波数領域の伝送される位置は、ＲＲＣのような、より高いレベルのシグナリングによって設定されることができる。
【００４１】
３．ＣＲＳ及び／若しくはＣＳＩ−ＲＳのための時間並びに／又は周波数領域の伝送される位置は、セルＩＤ又は仮想セルＩＤに従って予め決定されることができる。
【００４２】
４．ＣＲＳ及び／若しくはＣＳＩ−ＲＳのための時間並びに／又は周波数領域の伝送される位置は、ＲＲＣのような、より高いレベルのシグナリングによって設定されることができる。
【００４３】
他の規則が、ＤＳ選択ロジックにおいて、追加されることができるか、及び／又は代用されることができる。一実施例において、ＤＳ選択ロジックは、下記の規則を含む。
【００４４】
１．ＣＲＳは、全てのダウンリンクサブフレームにおいて、及びＤＳオケージョン内の全ての特別なサブフレームのＤｗＰＴＳにおいて、アンテナポート０上で伝送される。
【００４５】
２．ＰＳＳは、フレーム構造タイプ１を代表する、ＤＳオケージョンのうちの第１のサブフレーム、又はフレーム構造タイプ２を代表する、ＤＳオケージョンのうちの第２のサブフレームにおいて伝送される。
【００４６】
３．ＳＳＳは、ＤＳオケージョンのうちの第１のサブフレームにおいて伝送される。
【００４７】
４．非ゼロ電力のＣＳＩ−ＲＳは、ＤＳオケージョンにおける０個以上のサブフレームにおいて伝送される。
【００４８】
他の実施例において、異なるＤＳ選択ロジック規則が使用される。さらに、あらゆる実施例により使用される規則は、信号を伝送するのに用いられるシーケンス又はコード、どのスロットが信号を伝送するのに用いられるかというようなサブフレーム内の位置、信号を伝送するのに用いられる副搬送波（１つ若しくは複数の副搬送波を使用するそれらの信号に関して）、又は他の信号特性を含む、ＤＳのために使用される信号の特性を更に指定し得る。これらの特性及び選択規則は、ＲＲＣのような、より高いレベルのシグナリングによって設定されるセルＩＤ（物理若しくは仮想）、及び／又は両方に従って事前に定義されることができる。
【００４９】
これらの特性を変えることは、伝送しているｅＮＢのセルＩＤをＵＥが復号することを可能にするための情報をＵＥに伝達することができる。したがって、ＤＳ選択ロジックは、同様に、ＵＥがセルＩＤを復号することを可能にするために、伝送される信号、及び伝送される信号の特性を変更することのように、適切な識別子をＤＳ内に符号化するために規則に依存する。このセルＩＤは、物理セルＩＤ又は仮想セルＩＤであり得る。セルＩＤは、同様に、ｅＮＢ識別子と呼ばれるか、又は別の用語で呼ばれ得る。ＤＳの意図は、ＤＳを伝送しているｅＮＢ（及び、したがってセル）の識別子をＵＥが同様に確認することができることである。
【００５０】
ＤＳを構成する信号の組み合わせからセルＩＤを符号化／復号することは、様々な方法で実行されることができ、本開示は、どのようにそれらの信号がセルＩＤを符号化／復号するかに関しては詳述しない。しかしながら、下記は、所望のセルＩＤから信号パラメータの様々な組み合わせに対する特定のマッピングを作成するために使用されることができる利用可能なオプションを説明する。これらのパラメータのいくつか又は全てにおける変化が、ＵＥが伝送された／受信された信号からセルＩＤを復号するための意図をＵＥに伝達するために使用されることができる、ということに注意が必要である。
【００５１】
第１及び第２同期信号は、全てのタイプのＵＥにより検出されるように設計されている。同期信号は、チャネルの６２個のサブキャリアを占有し、それは、チャネル帯域幅に関係なくセル探索手順を同じにする。第１同期信号サブキャリアは、周波数領域のＺａｄｏｆｆ−Ｃｈｕシーケンスを用いて変調される。各サブキャリアは、３ＧＰＰ  ＴＳ３６．２１１において定義されたシーケンス発生器におけるルートインデックスナンバーにより決定されたその位相に対して、同じ電力レベルを有している。
【００５２】
いくつかの実施例において、Ｚａｄｏｆｆ−Ｃｈｕシーケンスの符号化は、情報を伝達するために変更される。したがって、Ｚａｄｏｆｆ−Ｃｈｕシーケンスのどの変化が受信されるかが、情報をＵＥに伝達するために使用されることができるとともに、セルＩＤを符号化／復号するために使用される情報の一部分として機能することができる。本開示におけるＤＳに関して、現在の仕様は、ＰＳＳが同じスロットの同じシンボルにおいて伝送されることを必要とするが、いくつかの実施例では、同様にセルＩＤを符号化／復号するために使用される情報の一部分を明示するために、シンボルは変更されることができる。
【００５３】
３ＧＰＰ  ＴＳ３６．２１１において定義されたように、第２信号コードは、２個の長さ３１の２進シーケンスのインターリーブされた連結を使用する。ＰＳＳのように、ＳＳＳのために使用されるコードは、情報をＵＥに伝達することができるとともに、セルＩＤを符号化／復号するために使用される情報の一部分として機能することができる。同様に、ＰＳＳのように、ＳＳＳの伝送のために使用されるスロットは、情報をＵＥに伝達するために使用されることができる。
【００５４】
ＣＲＳは、１つ又は複数の物理的なアンテナポートにおいて伝送される。概して、それは、復調目的と測定目的の両方のために使用されるとともに、そのパターン設計はチャネル推定正確度を保証する。ＤＳの一部分として使用される場合に、ＣＲＳは、どのサブフレーム、スロット、サブキャリアなどにおいてＣＲＳが伝送されたかに基づいて、情報をＵＥに伝達することができる。さらに、上記で示されたようにいくつかの実施例はアンテナポートを固定するが、ＤＳの一部分として伝送される場合に、ＣＲＳのために使用されるアンテナポートは同様に変化し得る。
【００５５】
概して、セルは、１個、２個、４個又は８個のＣＳＩ−ＲＳ（それぞれ、１個、２個、４個又は８個のアンテナポート上で伝送される）によって構成されることができる。リソースブロックにおけるＣＳＩ−ＲＳのために使用されるリソースエレメントの正確なセットを含む正確なＣＳＩ−ＲＳ構造は、セル内で設定されたＣＳＩ−ＲＳの数によって決まるとともに、同様に、異なるセルでは異なり得る。より具体的には、リソース−ブロックペアの中には、ＣＳＩ−ＲＳの参照シンボルのために４０個の可能な位置があり、そして、あるセルでは、対応するリソースエレメントのサブセットがＣＳＩ−ＲＳ伝送のために使用される。
【００５６】
ＤＳの一部分として使用される場合に、ＣＳＩ−ＲＳの特性は、情報をＵＥに伝達するために変更されることができる。したがって、使用されるＣＳＩ−ＲＳの数、使用されるリソースエレメントのセットなどは、ＵＥに対する情報を符号化するために変更されることができる。
【００５７】
したがって、どの信号がＤＳを含むかと信号の特性の組み合わせは、伝送しているｅＮＢのセルＩＤをＵＥが復号することを可能にするための情報をＵＥに伝達するために使用されることができる。さらに、セルは、特定のＵＥに対して、有効であり得るか、又は非活性化され得る。非活性化された第２セルのようにセルが非活性化される場合に、ＵＥは、ＤＳを受信するときに、特定の仮定を行い得る。一実施例において、ディスカバリ信号の伝送を除いて、ＵＥは、活性化命令が受信されるサブフレームまで、その第２セルからのＰＳＳ、ＳＳＳ、物理ブロードキャストチャネル（ＰＢＣＨ）、ＣＲＳ、物理制御フォーマット指示チャネル（ＰＣＦＩＣＨ）及びＣＳＩ−ＲＳの伝送を仮定する必要がない。
【００５８】
図７は、いくつかの実施例による代表的なＤＳの一例を例示する。この図は、例えば、どこにＦＤＤ（すなわち、タイプ１フレーム構造）が使用されるかを例示することができる。この実例において、ＤＳは、単一のサブフレーム７００で構成され、全ての選択された信号がサブフレーム７００において伝送されるという点で、その伝送はバランスがとれている。サブフレーム７００は、それぞれが１２個のサブキャリア（図示せず）を有する６個のリソースブロック７０２を有するとして例示される。サブフレーム７００は、１４個のＯＤＦＭシンボル７０４を有している。選択されたＤＳは、ＰＳＳ７０６、ＳＳＳ７０８、ＣＲＳ７１０及びＣＳＩ−ＲＳ７１２を含む。この例示は、ＤＳを構成する潜在的な信号の４つ全てがフレームタイプ１を代表する単一のサブフレームにおいて伝送されることができることを例示するために選択された。当然ながら、ＤＳは、他の実施例において、ＰＳＳ７０６、ＳＳＳ７０８及びＣＲＳ７１０のような全ての信号より少ない信号を含み得るか、又はあらゆる他の組み合わせを含み得る。
【００５９】
スロットにおけるサブキャリアの総数は、７２（＝６×１２）個であるとともに、上記で示されたように、ＰＳＳ７０６及びＳＳＳ７０８は、６２個のサブキャリアを用いて伝送され、そしてそれぞれは、ＴＳ３６．２１１において指定されたコードのようなコードを用いて符号化される。したがって、ＰＳＳ７０６及びＳＳＳ７０８は、帯域幅の７２個のサブキャリアの実質的な部分を必要とするものとして示される。例示された実施例において、ＰＳＳ７０６はシンボル５において伝送され、ＳＳＳ７０８はシンボル６において伝送される。これは、逆転された順序（シンボル５におけるＳＳＳ７０８、及びシンボル６におけるＰＳＳ７０６）を有する現在のシステムの参照信号と異なる。順序を変えることは、この新しいＤＳにおけるＰＳＳ７０６及びＳＳＳ７０８の役割に関して混乱することから、古いＵＥを助けるであろう。実際、識別された位置を用いて、ＤＳは、古いＵＥに影響を与えないであろう方法で、ＰＳＳ７０６及びＳＳＳ７０８だけを用いて構成されるであろう。
【００６０】
上記で論じられたように、ＣＲＳ７１０は、特定のアンテナポート上で、そして特定のリソースブロックにおいて伝送される。ＣＲＳ７１０は、リソースブロックにおける全てのサブキャリアを必要としないかもしれないが、しかし、例示における簡単化のために、図７は、ＣＲＳ７１０が特定のリソースブロック内で伝送されることを例示する。以前に論じられたように、ＣＲＳ７１０は、どのサブフレーム、スロット、（複数の）サブキャリア、（複数の）ポートなどにおいてＣＲＳが伝送されたかに基づいて、情報をＵＥに伝達することができる。図７の代表的な実例において、ＣＲＳ７１０は、アンテナポート０上で、そして識別されたシンボル及び（複数の）サブキャリアにおいて伝送される。
【００６１】
ＣＳＩ−ＲＳ７１２は、セルが、１個、２個、４個又は８個のＣＳＩ−ＲＳ（それぞれ、１個、２個、４個又は８個のアンテナポート上で伝送される）によって構成されることができるとともに、リソースエレメントの特定のセットを使用することができるという点で、幾分ＣＲＳ７１０である。例示された実施例において、ＣＳＩ−ＲＳは、例示されたリソースブロックにおけるサブキャリアの全てを必要としないかもしれない。ＣＳＩ−ＲＳは、ＣＳＩ−ＲＳの数、ＣＳＩ−ＲＳを伝送するために使用されるサブフレーム、スロット、（複数の）サブキャリア、（複数の）ポートなどに基づいて、情報をＵＥに伝達することができる。図７の代表的な実例において、ＣＳＩ−ＲＳは、例示されたシンボル及び（複数の）サブキャリアにおいて、単一のアンテナポート上で伝送される。
【００６２】
図８は、いくつかの実施例による代表的なＤＳの別の例を例示する。この図は、例えば、どこにＴＤＤ（すなわち、タイプ２フレーム構造）が使用されるかを例示することができる。例示された実例は、いくつかの実施例において、タイプ２フレーム構造を代表する２個以上のサブフレームを使用する規則がどのように見えるであろうかを示す。例示された実例８００は、２個のサブフレーム８０２及び８０４を有している。タイプ２フレーム構造のための規則は、下記のようである。
【００６３】
１．ＣＲＳは、ＤＳオケージョン内の全ての特別なサブフレームのＤｗＰＴＳにおいて、アンテナポート０上で伝送される。
【００６４】
２．ＰＳＳは、フレーム構造タイプ２を代表する、期間のうちの第２のサブフレームにおいて伝送される。
【００６５】
３．ＳＳＳは、ＤＳオケージョンのうちの第１のサブフレームにおいて伝送される。
【００６６】
４．非ゼロ電力のＣＳＩ−ＲＳは、期間における０個以上のサブフレームにおいて伝送される。
【００６７】
その場合に、図８の例示は、発生するであろう１つの方法を例示する。第２のサブフレーム８０４は、特別なサブフレームであり、したがってＣＲＳ８１０は、ＤｗＰＴＳ（特別なサブフレームのうちの第１の“スロット”）の間に、アンテナポート０上で伝送される。ＰＳＳ８１２は、第２のサブフレームにおいて伝送され、したがって特別なサブフレームのＵｐＰＴＳ“スロット”において伝送される。これは、第１のサブフレームにおいて伝送されるように、ＣＳＩ−ＲＳ８０６及びＳＳＳ８０８をそれぞれスロット内に残しておく。
【００６８】
様々な信号がサブフレーム内のスロットにおいて伝送されるものとして例示される一方、それらは、全体のスロットを満たすとは限らず、そしてＣＲＳ８１０を除いて、サブフレーム内のあらゆるスロットに割り当てられるであろう。他の実施例は、異なる数のサブフレームを使用し得るとともに、異なる方法において様々な信号の伝送を体系化し得る。
【００６９】
図９は、いくつかの実施例による一例のＤＳ９１０を伝送する一例のｅＮＢ９００、及び一例のＤＳ９１０を受信する一例のＵＥ９０２を例示する。上記で示されたように、ｅＮＢ９００は、動作９０４において、所望のＤＳを作成するのに必要とされる入力パラメータを識別する。そのような入力パラメータは、フレームタイプ（すなわち、タイプ１、タイプ２）、符号化されるべきセル識別子などを含み得る。
【００７０】
動作９０６において、ｅＮＢは、受信側ＵＥ９０２がｅＮＢ９００の存在を識別するか、及び／又はｅＮＢ９００のセルＩＤを復号することを可能にするために、ＤＳオケージョンにおけるサブフレームはいくつか、ＤＳを含むためにどの信号が選択されるか、ＤＳを伝送するためのサブフレーム、伝送されるべき信号のパラメータなどのような、入力パラメータ及びＤＳ選択ロジック規則に従って、ＤＳを構成する参照信号を選択するとともに、送信されるべきＤＳを作成する。ＤＳオケージョンの持続時間の間の、ＤＳなどを含む信号を選択するための実例の規則は、実施例毎に変化し得る。１つの代表的な実例において、セルのためのディスカバリ信号オケージョンは、下記の持続時間を有する期間で構成される。
【００７１】
Ａ．フレーム構造タイプ１を代表する１〜５個の連続したサブフレーム。
【００７２】
Ｂ．フレーム構造タイプ２を代表する２〜５個の連続したサブフレーム。
【００７３】
ここで、ＵＥは、下記で構成されるディスカバリ信号の存在を仮定し得る。
【００７４】
１．全てのダウンリンクサブフレームにおける、及びオケージョン内の全ての特別なサブフレームのＤｗＰＴＳにおけるアンテナポート０上のセル固有参照信号。
【００７５】
２．フレーム構造タイプ１を代表する、オケージョンのうちの第１のサブフレーム、又はフレーム構造タイプ２を代表する、期間のうちの第２のサブフレームにおける第１同期信号。
【００７６】
３．オケージョンのうちの第１のサブフレームにおける第２同期信号。
【００７７】
４．オケージョン内の０個以上のサブフレームにおける非ゼロ電力のＣＳＩ参照信号。
【００７８】
実施例の範囲はこの点で限定されないが、ディスカバリ信号オケージョンは、４０ｍｓ、８０ｍｓ又は１６０ｍｓ毎に１度発生することができる。ディスカバリ信号に基づく測定に関して、ＵＥは、存在しているディスカバリ信号より他の信号又は物理チャネルを仮定しないであろう。非活性化された第２セルに対するディスカバリ信号に基づく測定によって構成されるＵＥは、ディスカバリ信号の伝送を除いて、活性化命令が受信されるサブフレームまで、その第２セルからのＰＳＳ、ＳＳＳ、ＰＢＣＨ、ＣＲＳ、ＰＣＦＩＣＨ及びＣＳＩ−ＲＳの伝送を仮定しないであろう。
【００７９】
ｅＮＢ９００は、その場合に、動作９０８により示されたように、ＤＳオケージョンの間ＤＳ９１０を伝送する。
【００８０】
ＵＥ９０２は、同様に、ＤＳオケージョンの開始を識別し、入力パラメータ（動作９１２）を用いて、動作９１４により示されたようにＤＳ９１０を受信する。動作９１６において、ＵＥ９０２は、ＤＳ９１０を構成する信号及び特性を識別する。一度これらが識別されれば、ＵＥ９０２は、ｅＮＢ９００の存在を識別することができるとともに、ｅＮＢ９００のセルＩＤを復号することができる。
【００８１】
図１０は、いくつかの実施例による代表的なＤＳを作成して伝送するｅＮＢの一例のフローチャート１０００を例示する。それは、図９において例示された動作のような、ｅＮＢの動作の更に詳細な説明の一例である。その方法は、動作１００２から始まり、そして動作１００４において、ｅＮＢは、ＤＳオケージョンを待つ。いくつかの実施例において、図１０における動作のいくつか又は全ては、ＤＳオケージョン、及びＤＳオケージョンにおいて伝送される作成されたＤＳ信号の発生の前に実行され得る。すなわち、いくつかの動作は、ＤＳオケージョンに達する場合に、全て又はほとんど全ての準備が整っているように、ＤＳオケージョンの前に実行され得る。
【００８２】
動作１００６において、ｅＮＢは、ＤＳで使用されるべきフレームタイプ及びサブフレームの数を読み出す。ＤＳが（少なくとも）ＰＳＳ、ＳＳＳ及びＣＲＳを含むことになると仮定すると、動作１００８、１０１０及び１０１２は、スロット、シンボル、コード、そしてあらゆる他の適切なパラメータと共に使用されるべきサブフレーム、及びＤＳのために使用されることになる信号特性を含む、ＰＳＳ、ＳＳＳ及びＣＲＳのための適切なパラメータを、それぞれ選択する。
【００８３】
動作１０１４において、もし１つ又は複数のＣＳＩ−ＲＳが使用されるべきであるならば、ＣＳＩ−ＲＳのためのパラメータ及び特性が選択される。
【００８４】
動作１０１６において、ＤＳは、上記の動作において選択されたパラメータ、特性などに従って伝送される。次のＤＳオケージョンが発生するまで、方法は、その場合に、動作１０１８で終了する。
【００８５】
図１１は、いくつかの実施例による代表的なＤＳを受信して復号するＵＥの一例のフローチャート１１００を例示する。方法は、動作１１０２から始まり、そして、ＤＳが動作１１０４において受信される。ＵＥは、その場合に、どの信号がＤＳの一部分として伝送されたかを理解し、そして信号の特性を識別するための処理を開始する。いくつかの実施例において、特定の信号及び／又は信号の特性を識別することは、信号受信処理の一部分であり得る。他の実施例において、特定の信号及び／又は信号の特性を識別することは、信号の受信のあとで実行される。さらに他の実施例において、いくつかの信号及び／又は特性を識別することは、受信処理の一部分であるとともに、他のことは、受信のあとで実行される。
【００８６】
動作１１０６、１１０８、１１１０及び１１１２は、ＰＳＳ、ＳＳＳ、ＣＲＳ及びＣＳＩ−ＲＳの存在を、もしそれらがそれぞれの顕著な特性と共にＤＳ内に存在するならば、必要に応じて識別する。異なるＤＳは、異なる信号成分を含み、そして信号成分の異なる特性を有することができるので、ＵＥの受信機は、存在と、可能なら顕著な特性との両方を識別する。
【００８７】
どの信号がＤＳの一部分として受信されたか、そして可能なら受信された信号の顕著な特性を、１度ＵＥが識別したならば、動作１１１４において示されたように、ＵＥは、その場合に、セルＩＤを復号することができる。
【００８８】
方法は、次のＤＳオケージョンまで、動作１１１６で終了する。
【００８９】
図１２は、いくつかの実施例による一例のシステムのシステムブロック図を例示する。図１２は、代表的なｅＮＢ１２００、及び代表的なＵＥ１２０２のような、様々な装置のブロック図を例示する。そのような装置は、例えば、図１〜図１１において示されたｅＮＢ及びＵＥであろう。ｅＮＢ１２００がネットワーク通信１２０４のようなコアネットワークに対する接続を含むこと以外は、両方の装置は、構造において同様である。
【００９０】
装置１２００は、プロセッサ１２０８、メモリ１２１０、トランシーバ１２０６、１つ又は複数のアンテナ１２０９、命令１２１２、及び場合により他の構成要素（図示せず）を含み得る。装置１２０２は、プロセッサ１２２０、メモリ１２２２、トランシーバ１２１８、１つ又は複数のアンテナ１２２１、命令１２２４、及び場合により他の構成要素（図示せず）を含み得る。
【００９１】
プロセッサ１２０８及び１２２０は、１つ又は複数の中央処理装置（ＣＰＵ）、図形処理ユニット（ＧＰＵ）、加速処理装置（ＡＰＵ）、又はそれらの様々な組み合わせを含む。プロセッサ１２０８及び１２２０は、それぞれ、装置１２００及び１２０２のための処理及び制御機能を提供する。メモリ１２１０及び１２２２は、それぞれ命令１２１２及び１２２４、そして装置１２００及び１２０２のためのデータを記憶するように構成された１つ又は複数のメモリユニットを、それぞれ含む。図１０若しくは図１１のフローチャートのような本明細書で開示された方法論、及び本明細書で説明された他の機能は、プロセッサ１２０８及び１２２０、並びに装置１２００及び／又は１２０２の他の構成要素を、本開示に関連して動作するように、一時的又は恒久的にプログラムするソフトウェアに実装されることができる。
【００９２】
トランシーバ１２０６及び１２１８は、適切なｅＮＢ又はＵＥ（それぞれ）のために、複数入力複数出力（ＭＩＭＯ）アンテナ１２０９、１２２１をサポートするための回路をＭＩＭＯ通信をサポートするために含む、１つ又は複数のトランシーバを備える。装置１２００のために、トランシーバ１２０６は通信を受信するとともに通信を伝送し、一方装置１２０２のために、トランシーバ１２１８は同様の機能を実行する。トランシーバ１２０６及び１２１８は、実装例に応じたｅＮＢ又はＵＥに適切である受信機を含む。トランシーバ１２０６はアンテナ１２０９に接続されるとともに、トランシーバ１２１８はアンテナ１２２１に接続され、それは、それぞれの装置に適切であるアンテナ又は複数のアンテナを表す。
【００９３】
命令１２１２、１２２４は、コンピューティング装置（又は機械）において実行され、そのようなコンピューティング装置（又は機械）に、ｅＮＢ、ＵＥと関連して説明された動作、上記のフローチャートなどのような、本明細書で論じられた方法論のうちのいずれかを実行させる、１つ若しくは複数の命令のセット又はソフトウェアを含む。命令１２１２、１２２４（同様にコンピュータ実行可能又は機械実行可能な命令と呼ばれる）は、それぞれ、装置１２００及び１２０２によるそれらの実行の間、プロセッサ１２０８、１２２０、及び／若しくはメモリ１２１０、１２２２内に、完全に、又は少なくとも部分的に存在し得る。プロセッサ１２０８、１２２０、及びメモリ１２１０、１２２２は、同様に、機械読み取り可能な媒体の実例である。プロセッサ、メモリ、命令、トランシーバ回路などの様々な組み合わせは、ハードウェア処理回路の代表例である。
【００９４】
図１２において、処理及び制御機能は、それぞれ、関連する命令１２１２、１２２４と共に、プロセッサ１２０８、１２２０により提供されるように例示される。しかしながら、これらは、特定の動作を実行するようにソフトウェア又はファームウェアにより一時的に構成されるプログラマブルロジック又は回路（例えば、汎用プロセッサ又は他のプログラマブルプロセッサ内に包含される）を含む処理回路の単なる実例である。様々な実施例において、処理回路は、特定の動作を実行するように（例えば、特殊用途向けプロセッサ、特定用途向け集積回路（ＡＳＩＣ）、又はアレイ内に）恒久的に構成される専用の回路又はロジックを含み得る。処理回路を、専用及び恒久的に構成された回路に、又は一時的に構成された回路（例えば、ソフトウェアにより構成された）に、機械的に実装する決定は、例えば、コスト、時間、エネルギー利用、パッケージサイズ、又は他の検討材料により促進され得る、ということが認識されるであろう。
【００９５】
その結果、“処理回路”という用語は、特定の方法で動作するか、又は本明細書で説明された特定の動作を実行するように、物理的に構成されている、恒久的に構成されている（例えば、ハードウェアにより実現されている）、又は一時的に構成されている（例えば、プログラムされている）構成要素である、有形の構成要素を包含することが理解されるべきである。
【００９６】
読者が技術的開示の性質及び要点を確かめることを可能にするであろう要約を要求する連邦規則法典第３７巻セクション１．７２（ｂ）（37C.F.R.  Section  1.72(b)）に適合するように、要約が提供される。要約は、要約が請求項の範囲若しくは意味を限定するか、又は解釈するために使用されないであろう、という了解のもとに提出される。したがって、添付の請求項は、この結果、各請求項が個別の実施例として独立している状態で詳細な説明の中に組み込まれる。
【００９７】
“コンピュータ読み取り可能な媒体”、“機械読み取り可能な媒体”などの用語は、１つ若しくは複数の命令のセットを記憶する単一の媒体又は複数の媒体（例えば、集中型データベース若しくは分散型データベース、並びに／又は関連するキャッシュ及びサーバ）を含むと解釈されるべきである。用語は、同様に、機械による実行のために、命令のセットを記憶し、符号化し、又は搬送することが可能であるとともに、機械に本開示の方法論のうちのいずれか１つ又は複数を実行させるあらゆる媒体を含むと解釈されなければならない。“コンピュータ読み取り可能な媒体”及び“機械読み取り可能な媒体”という用語は、したがって、“コンピュータ記憶媒体”、“機械記憶媒体”の両方など（信号自体、搬送波、及び他の無形の情報源を除く、固体メモリ、光及び磁気媒体、又は他の有形の装置及び担体を含む有形の情報源）、そして“コンピュータ通信媒体”、“機械通信媒体”など（信号自体、搬送波信号などを含む無形の情報源）、を含むと解釈されなければならない。
【００９８】
明瞭化の目的のために、上記の記述は異なる機能ユニット又はプロセッサに関連していくつかの実施例を説明する、ということが認識されるであろう。しかしながら、異なる機能ユニット、プロセッサ又はドメインの間の機能性のあらゆる適切な分配が、本発明の実施例を損なうことなく使用され得る、ということが明白であろう。例えば、別個のプロセッサ又は制御装置により実行されるように例示される機能性は、同じプロセッサ又は制御装置により実行され得る。したがって、特定の機能ユニットに対する参照は、厳密な論理的若しくは物理的な構造又は機構を示すよりむしろ、単に説明された機能性を提供するための適切な手段に対する参照と見なされるべきである。
【００９９】
本発明がいくつかの実施例に関連して説明されたが、本明細書で明らかにされる特定の形式に限定されることは意図されない。当業者は、説明された実施例の様々な特徴が本発明に従って結合され得る、ということを認識するであろう。さらに、当業者により、様々な修正及び変更が、本発明の範囲からはずれずに実行され得る、ということが認識されるであろう。
【０１００】
下記は、様々な実例の実施例を表す。
【０１０１】
実例１：拡張ノードＢ（ｅＮＢ）であって、少なくとも、一連のサブフレームを含むディスカバリ信号（ＤＳ）オケージョンの開始を識別し、セル固有参照信号（ＣＲＳ）、第１同期信号（ＰＳＳ）及び第２同期信号（ＳＳＳ）を含むとともに、上記ＤＳオケージョン内で伝送されるべきＤＳを選択し、上記ＤＳを受信するＵＥに対して当該ｅＮＢの身元を明らかにする上記ＤＳを、上記ＤＳオケージョンの間に伝送するように構成されるハードウェア処理回路を備える、ｅＮＢ。
【０１０２】
実例２：上記一連のサブフレームが、タイプ１のフレーム構造を代表する１〜５個のサブフレームを含む、実例１のｅＮＢ。
【０１０３】
実例３：上記一連のサブフレームが、タイプ２のフレーム構造を代表する２〜５個のサブフレームを含む、実例１のｅＮＢ。
【０１０４】
実例４：上記ＤＳが、上記一連のサブフレームのうちのＣＲＳサブフレームにおける指定されたアンテナポート上の上記ＣＲＳと、上記一連のサブフレームのうちのＰＳＳサブフレームにおいて伝送される上記ＰＳＳであって、上記ＰＳＳサブフレームがフレーム構造のタイプに基づいて選択される、上記ＰＳＳと、上記一連のサブフレームのうちのＳＳＳサブフレームにおいて伝送される上記ＳＳＳとを含む、実例１、２又は３のｅＮＢ。
【０１０５】
実例６：上記ＰＳＳサブフレーム及び上記ＳＳＳサブフレームが、上記一連のサブフレームにおける第１のサブフレームである、実例４のｅＮＢ。
【０１０６】
実例７：上記ＰＳＳサブフレームが、上記一連のサブフレームにおける第２のサブフレームであり、上記ＳＳＳサブフレームが、上記一連のサブフレームにおける第１のサブフレームである、実例４のｅＮＢ。
【０１０７】
実例８：上記ＣＲＳサブフレームが、ダウンリンクサブフレーム、又はダウンリンクパイロットタイムスロット（ＤｗＰＴＳ）を含むサブフレームである、実例４のｅＮＢ。
【０１０８】
実例９：上記ＤＳが、タイプ１のフレーム構造を代表する、上記一連のサブフレームのうちの第１のサブフレーム、又はタイプ２のフレーム構造を代表する、上記一連のサブフレームのうちの第２のサブフレームにおいて伝送される上記ＰＳＳと、上記一連のサブフレームのうちの上記第１のサブフレームにおいて伝送される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で伝送される上記ＣＲＳとを含む、実例１のｅＮＢ。
【０１０９】
実例１０：上記ＤＳが、上記一連のサブフレームのうちの少なくとも１つにおいて伝送されるＣＳＩ−ＲＳを更に含む、実例９のｅＮＢ。
【０１１０】
実例１１：上記ＤＳオケージョンが、周期的に発生する、実例１、２又は３のｅＮＢ。
【０１１１】
実例１２：上記ＤＳオケージョンが、４０ｍｓ、８０ｍｓ又は１６０ｍｓ毎に発生する、実例１、２又は３のｅＮＢ。
【０１１２】
実例１３：装置であって、少なくとも１つのアンテナと、上記少なくとも１つのアンテナに接続されたトランシーバ回路と、メモリと、上記メモリ及びトランシーバ回路に接続されたプロセッサと、上記メモリに記憶された命令とを備え、上記命令が、実行された場合に、上記プロセッサに、フレーム構造のタイプを判定するステップと、ディスカバリ信号（ＤＳ）オケージョンのための持続時間を判定するステップであって、上記持続時間がフレーム構造タイプ１を代表する１〜５個のサブフレームであるとともに、上記持続時間がフレーム構造タイプ２を代表する２〜５個のサブフレームである、ステップと、上記ＤＳオケージョンの開始を識別するステップと、フレーム構造タイプ１を代表するサブフレーム１又はフレーム構造タイプ２を代表するサブフレーム２において伝送される第１同期信号（ＰＳＳ）、サブフレーム１において伝送される第２同期信号（ＳＳＳ）、上記ＤＳオケージョンのうちの全てのダウンリンクサブフレームにおいて、又は上記ＤＳオケージョンにおける特別なサブフレームのダウンリンクパイロットタイムスロット（ＤｗＰＴＳ）において伝送されるセル固有参照信号（ＣＲＳ）、及び上記ＤＳオケージョンにおける０個以上のサブフレームにおいて伝送されるチャネル状態情報参照信号（ＣＳＩ−ＲＳ）を含むとともに、上記ＤＳオケージョン内で伝送されるべきＤＳを選択するステップと、上記ＤＳを、指定されたサブフレームの間の上記ＤＳオケージョンの間に伝送するステップとを含む動作を実行させる、装置。
【０１１３】
実例１４：拡張ノードＢ（ｅＮＢ）により実行される方法であって、一連のサブフレームを含むディスカバリ信号（ＤＳ）オケージョンの開始を識別するステップと、セル固有参照信号（ＣＲＳ）、第１同期信号（ＰＳＳ）及び第２同期信号（ＳＳＳ）を含むとともに、上記ＤＳオケージョン内で伝送されるべきＤＳを選択するステップと、上記ＤＳを受信するＵＥに対して当該ｅＮＢの身元を明らかにする上記ＤＳを、上記ＤＳオケージョンの間に伝送するステップとを含む、方法。
【０１１４】
実例１５：上記一連のサブフレームが、タイプ１のフレーム構造を代表する１〜５個のサブフレームを含む、実例１４の方法。
【０１１５】
実例１６：上記一連のサブフレームが、タイプ２のフレーム構造を代表する２〜５個のサブフレームを含む、実例１４の方法。
【０１１６】
実例１７：上記ＤＳが、上記一連のサブフレームのうちのＣＲＳサブフレームにおける指定されたアンテナポート上の上記ＣＲＳと、上記一連のサブフレームのうちのＰＳＳサブフレームにおいて伝送される上記ＰＳＳであって、上記ＰＳＳサブフレームがフレーム構造のタイプに基づいて選択される、上記ＰＳＳと、上記一連のサブフレームのうちのＳＳＳサブフレームにおいて伝送される上記ＳＳＳとを含む、実例１４、１５又は１６の方法。
【０１１７】
実例１８：上記ＰＳＳサブフレーム及び上記ＳＳＳサブフレームが、上記一連のサブフレームにおける第１のサブフレームである、実例１７の方法。
【０１１８】
実例１９：上記ＰＳＳサブフレームが、上記一連のサブフレームにおける第２のサブフレームであり、上記ＳＳＳサブフレームが、上記一連のサブフレームにおける第１のサブフレームである、実例１７の方法。
【０１１９】
実例２０：上記ＣＲＳサブフレームが、ダウンリンクサブフレーム、又はダウンリンクパイロットタイムスロット（ＤｗＰＴＳ）を含むサブフレームである、実例１７の方法。
【０１２０】
実例２１：上記ＤＳが、タイプ１のフレーム構造を代表する、上記一連のサブフレームのうちの第１のサブフレーム、又はタイプ２のフレーム構造を代表する、上記一連のサブフレームのうちの第２のサブフレームにおいて伝送される上記ＰＳＳと、上記一連のサブフレームのうちの上記第１のサブフレームにおいて伝送される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で伝送される上記ＣＲＳとを含む、実例１４の方法。
【０１２１】
実例２２：上記ＤＳが、上記一連のサブフレームのうちの少なくとも１つにおいて伝送されるＣＳＩ−ＲＳを更に含む、実例２１の方法。
【０１２２】
実例２３：上記ＤＳオケージョンが、周期的に発生する、実例１４、１５又は１６の方法。
【０１２３】
実例２４：上記ＤＳオケージョンが、４０ｍｓ、８０ｍｓ又は１６０ｍｓ毎に発生する、実例１４、１５又は１６の方法。
【０１２４】
実例２５：命令を含むコンピュータ読み取り可能な媒体であって、上記命令が、ハードウェア処理回路により実行された場合に、少なくとも、一連のサブフレームを含むディスカバリ信号（ＤＳ）オケージョンの開始を識別し、セル固有参照信号（ＣＲＳ）、第１同期信号（ＰＳＳ）及び第２同期信号（ＳＳＳ）を含むとともに、上記ＤＳオケージョン内で伝送されるべきＤＳを選択し、上記ＤＳを受信するＵＥに対して当該ｅＮＢの身元を明らかにする上記ＤＳを、上記ＤＳオケージョンの間に伝送するように上記ハードウェア処理回路を構成する、コンピュータ読み取り可能な媒体。
【０１２５】
実例２６：上記一連のサブフレームが、タイプ１のフレーム構造を代表する１〜５個のサブフレームを含む、実例２５のコンピュータ読み取り可能な媒体。
【０１２６】
実例２７：上記一連のサブフレームが、タイプ２のフレーム構造を代表する２〜５個のサブフレームを含む、実例２５のコンピュータ読み取り可能な媒体。
【０１２７】
実例２８：上記ＤＳが、上記一連のサブフレームのうちのＣＲＳサブフレームにおける指定されたアンテナポート上の上記ＣＲＳと、上記一連のサブフレームのうちのＰＳＳサブフレームにおいて伝送される上記ＰＳＳであって、上記ＰＳＳサブフレームがフレーム構造のタイプに基づいて選択される、上記ＰＳＳと、上記一連のサブフレームのうちのＳＳＳサブフレームにおいて伝送される上記ＳＳＳとを含む、実例２５、２６又は２７のコンピュータ読み取り可能な媒体。
【０１２８】
実例２９：上記ＰＳＳサブフレーム及び上記ＳＳＳサブフレームが、上記一連のサブフレームにおける第１のサブフレームである、実例２８のコンピュータ読み取り可能な媒体。
【０１２９】
実例３０：上記ＰＳＳサブフレームが、上記一連のサブフレームにおける第２のサブフレームであり、上記ＳＳＳサブフレームが、上記一連のサブフレームにおける第１のサブフレームである、実例２８のコンピュータ読み取り可能な媒体。
【０１３０】
実例３１：上記ＣＲＳサブフレームが、ダウンリンクサブフレーム、又はダウンリンクパイロットタイムスロット（ＤｗＰＴＳ）を含むサブフレームである、実例２８のコンピュータ読み取り可能な媒体。
【０１３１】
実例３２：上記ＤＳが、タイプ１のフレーム構造を代表する、上記一連のサブフレームのうちの第１のサブフレーム、又はタイプ２のフレーム構造を代表する、上記一連のサブフレームのうちの第２のサブフレームにおいて伝送される上記ＰＳＳと、上記一連のサブフレームのうちの上記第１のサブフレームにおいて伝送される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で伝送される上記ＣＲＳとを含む、実例２５のコンピュータ読み取り可能な媒体。
【０１３２】
実例３３：上記ＤＳが、上記一連のサブフレームのうちの少なくとも１つにおいて伝送されるＣＳＩ−ＲＳを更に含む、実例３２のコンピュータ読み取り可能な媒体。
【０１３３】
実例３４：上記ＤＳオケージョンが、周期的に発生する、実例２５、２６又は２７のコンピュータ読み取り可能な媒体。
【０１３４】
実例３５：上記ＤＳオケージョンが、４０ｍｓ、８０ｍｓ又は１６０ｍｓ毎に発生する、実例２５、２６又は２７のコンピュータ読み取り可能な媒体。
【０１３５】
実例３６：ユーザ装置（ＵＥ）であって、少なくとも、ＤＳオケージョンの開始を識別し、セル固有参照信号（ＣＲＳ）、第１同期信号（ＰＳＳ）及び第２同期信号（ＳＳＳ）を含むとともに、上記ＤＳオケージョンの間に伝送されたＤＳを受信し、上記ＤＳに基づいて、拡張ノードＢ（ｅＮＢ）の識別子を判定するように構成されるハードウェア処理回路を備える、ＵＥ。
【０１３６】
実例３７：上記ハードウェア処理回路が、フレーム構造のタイプを識別するように更に構成され、上記ＤＳオケージョンのための持続時間が、上記フレーム構造のタイプに基づいている、実例３６のＵＥ。
【０１３７】
実例３８：上記持続時間が、タイプ１のフレーム構造を代表する１〜５個のサブフレームを含む、実例３７のＵＥ。
【０１３８】
実例３９：上記持続時間が、タイプ２のフレーム構造を代表する２〜５個のサブフレームを含む、実例３７のＵＥ。
【０１３９】
実例４０：上記ＤＳが、上記一連のサブフレームのうちのＣＲＳサブフレームにおいて指定されたアンテナポート上で受信される上記ＣＲＳと、上記一連のサブフレームのうちのＰＳＳサブフレームにおいて受信される上記ＰＳＳであって、上記ＰＳＳサブフレームがフレーム構造のタイプに基づいて選択される、上記ＰＳＳと、上記一連のサブフレームのうちのＳＳＳサブフレームにおいて受信される上記ＳＳＳとを含む、実例３６、３７、３８又は３９のＵＥ。
【０１４０】
実例４１：上記ＰＳＳサブフレーム及び上記ＳＳＳサブフレームが、一連のサブフレームにおける第１のサブフレームである、実例４０のＵＥ。
【０１４１】
実例４２：上記ＰＳＳサブフレームが、一連のサブフレームにおける第２のサブフレームであり、上記ＳＳＳサブフレームが、上記一連のサブフレームにおける第１のサブフレームである、実例４０のＵＥ。
【０１４２】
実例４３：上記ＣＲＳサブフレームが、ダウンリンクサブフレーム、又はダウンリンクパイロットタイムスロット（ＤｗＰＴＳ）を含むサブフレームである、実例４０のＵＥ。
【０１４３】
実例４４：上記ＤＳが、タイプ１のフレーム構造を代表する、一連のサブフレームのうちの第１のサブフレーム、又はタイプ２のフレーム構造を代表する、上記一連のサブフレームのうちの第２のサブフレームにおいて受信される上記ＰＳＳと、上記一連のサブフレームのうちの上記第１のサブフレームにおいて受信される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で受信される上記ＣＲＳとを含む、実例３６のＵＥ。
【０１４４】
実例４５：上記ＤＳが、上記一連のサブフレームのうちの少なくとも１つにおいて受信されるＣＳＩ−ＲＳを更に含む、実例４４のＵＥ。
【０１４５】
実例４６：上記ＤＳオケージョンが、周期的に発生する、実例３６、３７、３８、３９又は４４のＵＥ。
【０１４６】
実例４７：上記ＤＳオケージョンが、４０ｍｓ、８０ｍｓ又は１６０ｍｓ毎に発生する、実例３６、３７、３８、３９又は４４のＵＥ。
【０１４７】
実例４８：ユーザ装置（ＵＥ）により実行される方法であって、ＤＳオケージョンの開始を識別するステップと、セル固有参照信号（ＣＲＳ）、第１同期信号（ＰＳＳ）及び第２同期信号（ＳＳＳ）を含むとともに、上記ＤＳオケージョンの間に伝送されたＤＳを受信するステップと、上記ＤＳに基づいて、拡張ノードＢ（ｅＮＢ）の識別子を判定するステップとを含む、方法。
【０１４８】
実例４９：フレーム構造のタイプを識別するステップを更に含み、上記ＤＳオケージョンのための持続時間が、上記フレーム構造のタイプに基づいている、実例４８の方法。
【０１４９】
実例５０：上記持続時間が、タイプ１のフレーム構造を代表する１〜５個のサブフレームを含む、実例４９の方法。
【０１５０】
実例５１：上記持続時間が、タイプ２のフレーム構造を代表する２〜５個のサブフレームを含む、実例４９の方法。
【０１５１】
実例５２：上記ＤＳが、上記一連のサブフレームのうちのＣＲＳサブフレームにおいて指定されたアンテナポート上で受信される上記ＣＲＳと、上記一連のサブフレームのうちのＰＳＳサブフレームにおいて受信される上記ＰＳＳであって、上記ＰＳＳサブフレームがフレーム構造のタイプに基づいて選択される、上記ＰＳＳと、上記一連のサブフレームのうちのＳＳＳサブフレームにおいて受信される上記ＳＳＳとを含む、実例４８、４９、５０又は５１の方法。
【０１５２】
実例５３：上記ＰＳＳサブフレーム及び上記ＳＳＳサブフレームが、一連のサブフレームにおける第１のサブフレームである、実例５２の方法。
【０１５３】
実例５４：上記ＰＳＳサブフレームが、一連のサブフレームにおける第２のサブフレームであり、上記ＳＳＳサブフレームが、上記一連のサブフレームにおける第１のサブフレームである、実例５２の方法。
【０１５４】
実例５５：上記ＣＲＳサブフレームが、ダウンリンクサブフレーム、又はダウンリンクパイロットタイムスロット（ＤｗＰＴＳ）を含むサブフレームである、実例５２の方法。
【０１５５】
実例５６：上記ＤＳが、タイプ１のフレーム構造を代表する、一連のサブフレームのうちの第１のサブフレーム、又はタイプ２のフレーム構造を代表する、上記一連のサブフレームのうちの第２のサブフレームにおいて受信される上記ＰＳＳと、上記一連のサブフレームのうちの上記第１のサブフレームにおいて受信される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で受信される上記ＣＲＳとを含む、実例４８の方法。
【０１５６】
実例５７：上記ＤＳが、上記一連のサブフレームのうちの少なくとも１つにおいて受信されるＣＳＩ−ＲＳを更に含む、実例４４の方法。
【０１５７】
実例５８：上記ＤＳオケージョンが、周期的に発生する、実例４８、４９、５０、５１又は５６の方法。
【０１５８】
実例５９：上記ＤＳオケージョンが、４０ｍｓ、８０ｍｓ又は１６０ｍｓ毎に発生する、実例４８、４９、５０、５１又は５６の方法。
【０１５９】
実例６０：実行可能な命令を含むコンピュータ読み取り可能な媒体であって、上記命令が、ハードウェア処理回路により実行された場合に、少なくとも、ＤＳオケージョンの開始を識別し、セル固有参照信号（ＣＲＳ）、第１同期信号（ＰＳＳ）及び第２同期信号（ＳＳＳ）を含むとともに、上記ＤＳオケージョンの間に伝送されたＤＳを受信し、上記ＤＳに基づいて、拡張ノードＢ（ｅＮＢ）の識別子を判定するように上記ハードウェア処理回路を構成する、コンピュータ読み取り可能な媒体。
【０１６０】
実例６１：上記実行可能な命令が、フレーム構造のタイプを識別するように上記ハードウェア処理回路を更に構成し、上記ＤＳオケージョンのための持続時間が、上記フレーム構造のタイプに基づいている、実例６０のコンピュータ読み取り可能な媒体。
【０１６１】
実例６２：上記持続時間が、タイプ１のフレーム構造を代表する１〜５個のサブフレームを含む、実例６１のコンピュータ読み取り可能な媒体。
【０１６２】
実例６３：上記持続時間が、タイプ２のフレーム構造を代表する２〜５個のサブフレームを含む、実例６１のコンピュータ読み取り可能な媒体。
【０１６３】
実例６４：上記ＤＳが、上記一連のサブフレームのうちのＣＲＳサブフレームにおいて指定されたアンテナポート上で受信される上記ＣＲＳと、上記一連のサブフレームのうちのＰＳＳサブフレームにおいて受信される上記ＰＳＳであって、上記ＰＳＳサブフレームがフレーム構造のタイプに基づいて選択される、上記ＰＳＳと、上記一連のサブフレームのうちのＳＳＳサブフレームにおいて受信される上記ＳＳＳとを含む、実例６０、６１、６２又は６３のコンピュータ読み取り可能な媒体。
【０１６４】
実例６５：上記ＰＳＳサブフレーム及び上記ＳＳＳサブフレームが、一連のサブフレームにおける第１のサブフレームである、実例６４のコンピュータ読み取り可能な媒体。
【０１６５】
実例６６：上記ＰＳＳサブフレームが、一連のサブフレームにおける第２のサブフレームであり、上記ＳＳＳサブフレームが、上記一連のサブフレームにおける第１のサブフレームである、実例６４のコンピュータ読み取り可能な媒体。
【０１６６】
実例６７：上記ＣＲＳサブフレームが、ダウンリンクサブフレーム、又はダウンリンクパイロットタイムスロット（ＤｗＰＴＳ）を含むサブフレームである、実例６４のコンピュータ読み取り可能な媒体。
【０１６７】
実例６８：上記ＤＳが、タイプ１のフレーム構造を代表する、一連のサブフレームのうちの第１のサブフレーム、又はタイプ２のフレーム構造を代表する、上記一連のサブフレームのうちの第２のサブフレームにおいて受信される上記ＰＳＳと、上記一連のサブフレームのうちの上記第１のサブフレームにおいて受信される上記ＳＳＳと、上記一連のサブフレームにおける全てのダウンリンクサブフレームにおいて、及び上記一連のサブフレームにおける特別なサブフレームのダウンリンクパイロットタイムスロット（ＤｗＰＴＳ）において、アンテナポート０上で受信される上記ＣＲＳとを含む、実例６０のコンピュータ読み取り可能な媒体。
【０１６８】
実例６９：上記ＤＳが、上記一連のサブフレームのうちの少なくとも１つにおいて受信されるＣＳＩ−ＲＳを更に含む、実例６８のコンピュータ読み取り可能な媒体。
【０１６９】
実例７０：上記ＤＳオケージョンが、周期的に発生する、実例６０、６１、６２、６３又は６８のコンピュータ読み取り可能な媒体。
【０１７０】
実例７１：上記ＤＳオケージョンが、４０ｍｓ、８０ｍｓ又は１６０ｍｓ毎に発生する、実例６０、６１、６２、６３又は６８のコンピュータ読み取り可能な媒体。
【図１】
0006479839.tif 000003
【図２】
0006479839.tif 000004
【図３】
0006479839.tif 000005
【図４】
0006479839.tif 000006
【図５】
0006479839.tif 000007
【図６】
0006479839.tif 000008
【図７】
0006479839.tif 000009
【図８】
0006479839.tif 000010
【図９】
0006479839.tif 000011
【図１０】
0006479839.tif 000012
【図１１】
0006479839.tif 000013
【図１２】
0006479839.tif 000014